(57)【要約】【課題】  本発明は、省電力でノズルの洗浄を行うことができる衛生洗浄装置を提供することを目的とする。【解決手段】吐水部を有し、吐水部から水を吐水して使用者の身体を洗浄するノズルと、給水源から供給された水をノズルに導く主流路と、主流路に設けられ給水源から供給される水を貯水する貯水部を有し、貯水部の水を所定の温度まで加熱する温水ヒータを有する貯湯式熱交換器と、主流路において熱交換器より上流側の第１の分岐部から分岐すると共に、熱交換器より下流側の合流部で主流路と合流するバイパス流路と、第１の分岐部に設けられ、第１の分岐部より下流側の主流路およびバイパス流路への給水、止水を切り替える切替手段と、切替手段を制御し、主流路の水をバイパス流路を介してノズルへ給水し、ノズルの表面を洗浄する自己洗浄工程を実行する制御部と、を備える衛生洗浄装置が提供される。【選択図】図２
2015175171.tif 000002
【特許請求の範囲】
【請求項１】
吐水部を有し、前記吐水部から水を吐水して使用者の身体を洗浄するノズルと、
給水源から供給された水を前記ノズルに導く主流路と、
前記主流路に設けられ前記給水源から供給される水を貯水する貯水部を有し、前記貯水部の水を所定の温度まで加熱する温水ヒータを有する貯湯式熱交換器と、
前記主流路において前記熱交換器より上流側の第１の分岐部から分岐すると共に、前記熱交換器より下流側の合流部で前記主流路と合流するバイパス流路と、
前記第１の分岐部に設けられ、前記第１の分岐部より下流側の主流路およびバイパス流路への給水、止水を切り替える切替手段と、
前記切替手段を制御し、前記給水源から供給された水を前記バイパス流路を介して前記ノズルへ給水し、前記ノズルの吐水部から吐水させることで、ノズルの表面を洗浄する自己洗浄工程を実行する制御部と、を備える衛生洗浄装置。
【請求項２】
ノズルの外側からノズルの表面へ向かって水を吐水するノズル表面洗浄手段と、
前記主流路において前記バイパス流路の合流部より下流側から分岐し、主流路の水を前記ノズル表面洗浄手段へと供給する副流路とを備える請求項１に記載の衛生洗浄装置。
【請求項３】
前記切替手段は、前記分岐部より下流側の主流路及びバイパス流路へ所定の割合で水を分配する分配手段を備える請求項１または２に記載の衛生洗浄装置。
【請求項４】
前記バイパス流路に設けられ、殺菌水を生成する殺菌水生成手段を有する請求項１乃至３のいずれかに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
衛生洗浄装置は、従来、給水源からノズルまでの流路に熱交換器を備え、給水源から供給される水を熱交換器により加熱し、人体の温度と同程度の温度にした上でノズルへ給水し、ノズルの吐水部から人体に向けて吐水するように構成している。
【０００３】
近年、省エネの需要がより一層高まってきており、衛生洗浄装置にも更なる節電が求められてきている。特許文献１に記載の衛生洗浄装置においては、ノズル表面を洗浄する際に、温水タンクを介さない水をノズルとは別に設けられた吐出口から吐出するよう構成しているが、ノズルの吐水部から吐水しノズル自身の表面を洗浄する、いわゆる「自己洗浄工程」においては、温水タンクを介した水を吐水しなければならず、節電の観点からは改善の余地があった。
【先行技術文献】
【特許文献】
【０００４】
【特許文献１】特開昭６２−５０５３３号公報
【発明の概要】
【発明が解決しようとする課題】
【０００５】
本発明は、かかる課題の認識に基づいてなされたものであり、省電力でノズルの洗浄を行うことができる衛生洗浄装置を提供することを目的とする。
【課題を解決するための手段】
【０００６】
本発明は、吐水部を有し、前記吐水部から水を吐水して使用者の身体を洗浄するノズルと、給水源から供給された水を前記ノズルに導く主流路と、前記主流路に設けられ前記給水源から供給される水を貯水する貯水部を有し、前記貯水部の水を所定の温度まで加熱する温水ヒータを有する貯湯式熱交換器と、前記主流路において前記熱交換器より上流側の第１の分岐部から分岐すると共に、前記熱交換器より下流側の合流部で前記主流路と合流するバイパス流路と、前記第１の分岐部に設けられ、前記第１の分岐部より下流側の主流路およびバイパス流路への給水、止水を切り替える切替手段と、前記切替手段を制御し、前記給水源から供給された水を前記バイパス流路を介して前記ノズルへ給水し、前記ノズルの吐水部から吐水させることで、ノズルの表面を洗浄する自己洗浄工程を実行する制御部と、を備える衛生洗浄装置である。
【０００７】
この衛生洗浄装置によれば、ノズルの吐水部から吐水し、ノズルの表面を洗浄する自己洗浄工程において、貯湯式熱交換器を介さない水を利用してノズルの表面を洗浄することができるため、衛生的で且つ節電に貢献できる衛生洗浄装置を提供することができる。
【０００８】
また、第２の発明は、ノズルの外側からノズルの表面へ向かって水を吐水するノズル表面洗浄手段と、前記主流路において前記バイパス流路の合流部より下流側から分岐し、主流路の水を前記ノズル表面洗浄手段へと供給する副流路とを備える衛生洗浄装置である。
【０００９】
この衛生洗浄装置によれば、ノズル表面洗浄手段にてノズル表面を洗浄する際にも、貯湯式熱交換器を介さない水にてノズル表面を洗浄することができる。したがって、より節電に貢献できる衛生洗浄装置を提供することができる。
【００１０】
また、第３の発明は、切替手段は、前記分岐部より下流側の主流路及びバイパス流路へ所定の割合で水を分配する分配手段を備える衛生洗浄装置である。
【００１１】
この衛生洗浄装置によれば、合流部より下流側の主流路にて、貯湯式熱交換器を介した水と、貯湯式熱交換器を介さない水を所定の割合で混合させて、自己洗浄工程を実行することができるため、貯湯式熱交換器を介した水のみにて洗浄するのに比べ節電に貢献できる。また、貯湯式熱交換器を介さない水のみにて洗浄するのに比べて主流路内の水を温かくすることができるため、次回通水時に冷水が使用者に吐水されることがなく、使用者に不快な思いをさせることがない。
【００１２】
また、第４の発明は、前記バイパス流路に設けられ、殺菌水を生成する殺菌水生成手段を有する衛生洗浄装置である。
【００１３】
この衛生洗浄装置によれば、殺菌水生成手段をバイパス流路に設けることで、熱交換器を介することなく殺菌水を生成することが可能となり、熱交換器への給水と止水の繰返し疲労による熱交換器の寿命低下を防ぐことができる。
【発明の効果】
【００１４】
本発明の態様によれば、使用者に不快な思いをさせず衛生的で且つ省電力でノズルの洗浄を行うことができる衛生洗浄装置が提供される。
【図面の簡単な説明】
【００１５】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態のノズルユニットの具体例を例示する斜視模式図である。
【図４】洗浄動作時の水の温度制御の例（その１）について示すタイミングチャートである。
【図５】洗浄動作時の水の温度制御の例（その２）について示すタイミングチャートである。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。  
また、図２は、本実施形態にかかる衛生洗浄装置の要部構成を表すブロック図である。  なお、図２は、水路系と電気系の要部構成を併せて表している。
【００１７】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００１８】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００１９】
ノズル４７３の先端部には吐水口４７４ａ、４７４ｂ、４８０が設けられる。そして、ノズル４７３は、その先端部に設けられた吐水口４７４ａ、４７４ｂから水を噴射して、便座２００に座った使用者の「おしり」などを洗浄することができる。また、吐水口４８０から水を噴射してボウル８０１を濡れた状態にすることができる。なお、本願明細書において「水」という場合には、冷水のみならず、加熱されたお湯も含むものとする。
【００２０】
より具体的に説明すると、本実施形態にかかる衛生洗浄装置１００は、図２に表したように、水道や貯水タンクなどの給水源１０から供給された水をノズル４７３の吐水口４７４ａ、４７４ｂ、４８０に導く主流路２０を有する。主流路２０の上流側には、電磁弁（切替手段）４３１が設けられている。電磁弁４３１は、開閉可能な電磁バルブであり、ケーシング４００の内部に設けられた制御部４０５からの指令に基づいて水の供給を制御する。
【００２１】
電磁弁４３１の下流には、貯湯式熱交換器４４０が設けられている。（以下説明の便宜上、単に「貯湯熱交」と称する）貯湯熱交４４０は、給水源から供給された水を貯水する貯水部４４２と、貯水部に貯水された水を所定の温度まで加熱し保温する温水ヒータ４４１を有する。なお、貯湯熱交４４０については、貯水部４４２の水の温度が使用者に吐水される温度（約３８℃）と同じ温度となるように温水ヒータ４４１を駆動させ、加熱保温するものであっても良いし、また、使用者を検知しない時間帯は貯水部４４２の水の温度を使用者に吐水される温度より低い温度に保温し（例えば、約３０℃）、使用者を検知することで貯水部４４２の水の温度を使用者に吐水される温度（約３８℃）まで加熱するような半貯湯式のものであっても良い。
【００２２】
給水源１０と貯湯熱交４４０の温水ヒータ４４１との間の流路２０には、給水源１０から供給される水の温度を検知する図示しない水温センサ４２０が設けられる。
また、主流路２０において、貯湯熱交４４０より上流側の流路２５の分岐部２９から分岐し、貯湯熱交４４０の下流側の流路の合流部３０に合流するバイパス流路２８が設けられている。このバイパス流路２８により、ノズル４７３あるいはノズル洗浄室（ノズル表面洗浄手段）４７８に対して、給水源１０から供給される水を貯湯熱交４４０を介さずに供給することができる。また、分岐部２９には、流量・流路切替弁（切替手段）４６０が設けられ、分岐部２９より下流側の流路２６とバイパス流路２８のそれぞれに、給水源１０から供給される水を所定の流量で分配させることができる。したがって、この流量・流路切替弁４６０を切り替えることで、給水源１０から供給される水を、流路２６のみに通水させたり、バイパス流路２８のみに通水させたり、あるいは流路２６とバイパス流路２８の両方に通水させたりすることができる。また主流路２０とバイパス流路２８のそれぞれには、図示しない逆流防止装置が設けられており、給水源１０で負圧が発生したときの逆流を防止することができる。逆流防止装置は主流路２０とバイパス流路２８の合流部３０の下流で設けられても良い。
【００２３】
バイパス流路２８には、殺菌水を生成可能な電解槽ユニット（殺菌水生成手段）４５０が設けられている。使用者が操作部５００に設けられた殺菌スイッチ５１０を押すと、制御部４０５は、電解槽ユニット４５０に殺菌水を生成させる制御を実行する。殺菌水としては、次亜塩素酸を含む液である。電解槽ユニット４５０において生成された殺菌水は、ノズル４７３の吐水口４７４ａ、４７４ｂから噴射されたり、あるいはノズル洗浄室４７８からノズル４７３の外周表面（胴体）へ向かって噴射される。これにより、ノズル４７３の吐水部４７４ａ、４７４ｂ、およびノズル４７３の外周表面は、殺菌水により殺菌される。また、殺菌水をノズル４７３の吐水口４８０から噴射することで、ボウル８０１内面を殺菌することもできる。すなわち、殺菌スイッチ５１０には、ノズル４７３の殺菌動作、またはボウル８０１の殺菌動作の指示が入力される。そして、使用者は、殺菌スイッチ５１０を押してノズル４７３の殺菌を指示することにより、使用者の意思でノズル４７３の殺菌を行うことができる。また、ボウル８０１の殺菌を指示することにより、使用者の意思でボウル８０１の殺菌を行うこともできる。
【００２４】
バイパス流路に電解槽ユニット４５０を設けたことで、貯湯熱交４４０を介さずに殺菌水を生成することが可能となる。これにより、例えば、殺菌水を生成する毎に、貯湯熱交４４０への給水、止水が繰り返され、貯湯熱交４４０が繰り返し疲労によって寿命低下することを抑制することができる。
電解槽ユニット４５０の下流には、ノズル４７３やノズル洗浄室４７８への給水の切替を行う流路切替弁４７２が設けられている。
【００２５】
続いて、流路切替弁４７２の下流には、ノズル４７３が設けられている。ノズル４７３は、ノズルモータ４７６からの駆動力を受け、便器８００のボウル８０１内に進出したり後退することができる。つまり、ノズルモータ４７６は、制御部４０５からの指令に基づいてノズル４７３を進退させることができる。一方、ノズル洗浄室４７８は、その内部に設けられた吐水部４７９（図３参照）から殺菌水あるいは水を噴射することにより、ノズル４７３の外周表面を殺菌あるいは洗浄することができる。
【００２６】
ここで、流路切替弁４７２の下流には、流路切替弁４７２と、吐水口４７４ａ、４７４ｂ、４８０のそれぞれと接続する流路２１、２２、２３が設けられている。また、流路切替弁４７２とノズル洗浄室４７８とを接続する流路２４が設けられている。流路（副流路）２４は、給水源１０から供給される水や、電解槽ユニット４５０において生成される殺菌水をノズル洗浄室４７８に導くことができる。すなわち、制御部４０５は、流路切替弁４７２を制御することにより、ノズル４７３の吐水口４７４ａ、４７４ｂ、４８０に水や殺菌水を導いたり、流路２４を通してノズル洗浄室４７８の吐水部４７９に水や殺菌水を導くことができる。そして、流路２４を通してノズル洗浄室４７８の吐水部４７９に導かれた水や殺菌水は、ノズル４７３の吐水口４７４ａ、４７４ｂ、４８０やノズル４７３の外周表面へ向かって噴射される。
【００２７】
制御部４０５は、電源回路４０１から電力を供給され、トイレ室への使用者の入室を検知する入室検知センサ４０２や、便座２００の前方にいる使用者を検知する人体検知センサ４０３や、便座２００への使用者の着座を検知する着座検知センサ４０４や、操作部５００などからの信号に基づいて、電磁弁４３１や、温水ヒータ４４１や、電解槽ユニット４５０や、流量・流路切替弁４６０や、流路切替弁４７２や、ノズルモータ４７６の動作を制御することができる。
【００２８】
着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００２９】
また、人体検知センサ４０３は、便器８００の前方にいる使用者、すなわち便座２００から前方へ離間した位置に存在する使用者を検知することができる。つまり、人体検知センサ４０３は、トイレ室に入り便座２００に近づいてきた使用者を検知することができる。このような人体検知センサ４０３としては、例えば、赤外線投受光式の測距センサなどを用いることができる。
【００３０】
また、入室検知センサ４０２は、トイレ室のドアを開けて入室した直後の使用者や、入室しようとしてドアの前に存在する使用者を検知することができる。つまり、入室検知センサ４０２は、トイレ室に入った使用者だけではなく、トイレ室に入る前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入る使用者を検知することができる。
【００３１】
図１に表したトイレ装置では、ケーシング４００の上面に凹設部４０９が形成され、この凹設部４０９に一部が埋め込まれるように入室検知センサ４０２が設けられている。入室検知センサ４０２は、便蓋３００が閉じた状態では、その基部付近に設けられた透過窓３１０を介して使用者の入室を検知する。そして、例えば、入室検知センサ４０２が使用者を検知すると、制御部４０５は、入室検知センサ４０２の検知結果に基づいて便蓋３００を自動的に開く制御を実行することができる。また、着座検知センサ４０４および人体検知センサ４０３は、ケーシング４００の前方の中央部に設けられている。但し、着座検知センサ４０４、人体検知センサ４０３、および入室検知センサ４０２の設置形態は、これだけに限定されるわけではなく、適宜変更することができる。
【００３２】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７および室内暖房ユニットからの排出口４０８が適宜設けられる。ただし、本発明においては、衛生洗浄機能部やその他の付加機能部は必ずしも設けなくてもよい。
【００３３】
図３は、本実施形態のノズルユニットの具体例を例示する斜視模式図である。  
本実施形態のノズルユニット４７０は、図３に表したように、基台としての取付台４７５と、取付台４７５に支持されたノズル４７３と、ノズル４７３を移動させるノズルモータ４７６と、を有する。ノズル４７３は、図３に表した矢印Ａのように、ベルトなどの伝動部材４７７を介してノズルモータ４７６から伝達される駆動力により、取付台４７５に対して摺動自在に設けられている。すなわち、ノズル４７３は、ノズル４７３自身の軸方向（進退方向）に直進移動することができる。そして、ノズル４７３は、ケーシング４００および取付台４７５から進退自在に移動できる。
【００３４】
また、本実施形態のノズルユニット４７０には、ノズル洗浄室４７８が設けられている。ノズル洗浄室４７８は、取付台４７５に対して固定され、その内部に設けられた吐水部４７９から殺菌水あるいは水をノズル４７３の外周表面へ向けて噴射することにより、ノズル４７３の外周表面を殺菌あるいは洗浄することができる。
【００３５】
すなわち、制御部４０５が電解槽ユニット４５０の陽極板および陰極板に通電することにより殺菌水を生成させる場合には、ノズル４７３の胴体は、吐水部４７９から噴射される殺菌水により殺菌される。一方で、制御部４０５が電解槽ユニット４５０の陽極板および陰極板に通電しない場合には、ノズル４７３の胴体は、吐水部４７９から噴射される水により物理的に洗浄される。
【００３６】
より具体的には、ノズル４７３がケーシング４００に収納された状態において、ノズル４７３の吐水口４７４ａ、４７４ｂ、４８０はノズル洗浄室４７８の中にほぼ収容されている。そのため、ノズル洗浄室４７８は、その内部に設けられた吐水部４７９から殺菌水あるいは水を噴射することにより、収納された状態のノズル４７３の吐水口４７４ａ、４７４ｂ、４８０やノズル４７３の外周表面を殺菌あるいは洗浄することができる。（以下説明の便宜上、単に「胴体洗浄工程」と称する）
【００３７】
また、本実施形態のノズル４７３は、ノズル４７３がケーシング４００に収納された状態において、ノズル４７３自身が有する吐水口４７４ａ、４７４ｂ、４８０から殺菌水あるいは水を吐水することにより吐水口４７４ａ、４７４ｂ、４８０やその周囲を殺菌あるいは洗浄することができる。さらに、ノズル４７３がケーシング４００に収納された状態では、ノズル４７３の吐水口４７４ａ、４７４ｂ、４８０はノズル洗浄室４７８の中にほぼ収容されているため、ノズル４７３の吐水口４７４ａ、４７４ｂ、４８０から吐水された殺菌水あるいは水は、ノズル洗浄室４７８の内壁により反射して吐水口４７４ａ、４７４ｂ、４８０やその周囲にかかる。そのため、ノズル４７３の吐水口４７４ａ、４７４ｂ、４８０は、ノズル洗浄室４７８の内壁で反射した殺菌水あるいは水によっても殺菌あるいは洗浄される。（以下説明の便宜上、単に「自己洗浄工程」と称する）
【００３８】
次に、本実施形態にかかる衛生洗浄装置の動作について説明する。
まず、着座検知センサ４０４が便座２００に着座した使用者を検知すると、制御部４０５は、流量・流路切替弁４６０を制御して、流路２６は通水状態とし、バイパス流路２８は非通水状態とする。さらに制御部４０５は、流路切替弁４７２の位置を「原点」から「自己洗浄」に切り替え、流路２１、２２を介して吐水口４７４ａ、４７４ｂからの吐水を可能とする。
【００３９】
続いて、流路切替弁４７２の切り替えが完了すると、制御部４０５は、電磁弁４３１を開く。これにより、貯湯熱交４４０の水（温水）が貯湯熱交４４０の下流側の流路に供給され、流路２１、及び流路２２にも供給される。これにより、流路２７、流路２１、及び流路２２内の水（例えば、冷水）が排水され、温水の準備が行われる（捨水工程）。そして、制御部４０５は、流路切替弁４７２を「原点」に戻し、電磁弁４３１を閉じる。
【００４０】
続いて、使用者が操作部５００に設けられた図示しない「おしり洗浄スイッチ」を押すと、後述する「自己洗浄工程」、「胴体洗浄工程」を実行し、続いて「本洗浄工程」を実行する。
【００４１】
先ず、「自己洗浄工程」として、制御部４０５は、流量・流路切替弁４６０を制御して、主流路２０の流路２６は通水状態とし、バイパス流路２８は非通水状態とする。また、流路切替弁４７２の位置を「原点」から「ＳＣ」に切り替え、電磁弁４３１を開く。そして、ノズル４７３がケーシング４００に収納された状態で、ノズル４７３自身が有する吐水口４７４ａ、４７４ｂから貯湯熱交４４０により温められた水（温水）を吐水する。これにより吐水口から吐水された水はノズル洗浄室４７８で反射し、ノズル４７３の吐水口４７４ａ、４７４ｂやその周囲を洗浄することができる。
【００４２】
次に、「胴体洗浄工程」として、制御部４０５は、流量・流路切替弁４６０を制御して、流路２６は非通水状態とし、バイパス流路２８は通水状態とする。また、流路切替弁４７２の位置を「ＳＣ」から「バイパス」に切り替え、流路２４を介してノズル洗浄室４７８に設けられた吐水部４７９から水を噴射可能とする。続いて、制御部４０５は、ケーシング４００に収納されていたノズル４７３を「おしり洗浄」の位置まで進出させる。このとき、制御部４０５は、電磁弁４３１を開いているため、ノズル４７３の外周表面は、吐水部４７９から噴射される水により洗浄される。さらに、このとき、給水源１０から供給される水をバイパス流路２８を通して供給するため、貯湯熱交４４０により温められていない冷たい水がノズル洗浄室４７８の吐水部４７９より噴射される。
【００４３】
「本洗浄工程」は、使用者のおしりなどを洗浄する工程である。制御部４０５は、流量・流路切替弁４６０を制御して、再び流路２６を通水状態とし、バイパス流路２８を非通水状態とする。また、流路切替弁４７２の位置を「バイパス」から例えば「おしり水勢５」に切り替え、流路２１を介して吐水口４７４ａからの吐水を可能とする。なお、例えば、使用者が「おしり洗浄」における水勢を「水勢５」から「水勢３」に操作部５００により設定変更した場合には、制御部４０５は、流量切替弁４７１を「おしり水勢５」から「おしり水勢３」に切り替える。そして、制御部４０５は、「水勢３」において本洗浄を継続する。このとき、ノズル４７３へは貯湯熱交４４０により温められた水（温水）が供給されるため、ノズル４７３の吐水口４７４ａからは温かい水（温水）が噴射される。なお、吐水口４７４ａとは別の吐水口４７４ｂは、ビデ用の吐水口としても良いし、吐水口４７４ａと同じくおしりを洗浄するための吐水口であっても良い。
【００４４】
使用者が操作部５００により図示しない「止スイッチ」を押すと、「本洗浄工程」が終了し、続いて「胴体洗浄工程」及び「自己洗浄工程」を実行する。
【００４５】
先ず、「胴体洗浄工程」として、制御部４０５は、流量・流路切替弁４６０を制御し流路２６は非通水状態とし、バイパス流路２８は通水状態とする。また、流路切替弁４７２の位置を「おしり水勢３」から「バイパス」に切り替え、流路２４を介してノズル洗浄室４７８に設けられた吐水部４７９から水を噴射可能とする。また、制御部４０５は、電解槽ユニット４５０への通電を開始し、殺菌水の生成を開始する。続いて、制御部４０５は、「おしり洗浄」の位置に進出していたノズル４７３をケーシング４００に収納する。これにより、ノズル４７３の外周表面は、吐水部４７９から噴射される殺菌水により殺菌される。このとき、給水源１０から供給される水は、バイパス流路２８を通りノズル洗浄室４７８の吐水部４７９へ供給される。したがって、吐水部４７９からは貯湯熱交４４０を介さない冷たい殺菌水が噴射される。
【００４６】
続いて、「自己洗浄工程」として、ノズル４７３がケーシング４００に収納された状態において、制御部４０５は、流路切替弁４７２の位置を「バイパス」から「ＳＣ」に切り替え、流路２１、２２を介して吐水口４７４ａ、４７４ｂから殺菌水を吐水する。
【００４７】
続いて、制御部４０５は、電解槽ユニット４５０への通電を停止し、殺菌水の生成を終了する。続いて、制御部４０５は、電磁弁４３１を閉じる。
【００４８】
なお、上記の動作の例においては、「本洗浄工程」前の「自己洗浄工程」及び「胴体洗浄工程」において吐水口４７４ａ、４７４ｂや吐水部４７９から水を噴射して洗浄を行っているが、殺菌水を噴射して殺菌を行ってもよい。
【００４９】
また、上記の動作の例においては、「本洗浄工程」後の「自己洗浄工程」及び「胴体洗浄工程」において吐水口４７４ａ、４７４ｂや吐水部４７９から殺菌水を噴射して殺菌を行っているが、水を噴射して洗浄を行ってもよい。
【００５０】
次に、洗浄動作時の水の温度の制御について説明する。
図４は、洗浄動作時の水の温度制御の例（その１）について示すタイミングチャートである。
図４横軸は洗浄動作の時系列を表している。そして、図４の上段は、流路２６への通水・非通水の状態を表し、中段は、バイパス流路２８への通水・非通水の状態を表している。また、図４の下段は、バイパス流路２８が主流路２０へ合流する合流部３０より下流側の流路２７内の水の温度を表している。
【００５１】
「本洗浄工程」前の「捨水工程」及び「自己洗浄工程」においては、ノズル４７３の吐水口４７４ａ、４７４ｂへの流路２１、２２に通水することとなるため、ノズル４７３へ供給される水は温水である必要がある。したがって、制御部４０５は、流量・流路切替弁４６０を制御して、流路２６のみ通水状態とし、貯湯熱交４４０により予め温められた水（温水）をノズル４７３へ供給するように構成している。「捨水工程」において、流路２７内の温度が序々に上昇しているのは、流路２７内に予め冷水（温度Ｔ０）が残っているためであり、温水を供給することで、序々に規定温度Ｔｈ（例えば、３８℃）に近づくように構成されている。
【００５２】
一方、「本洗浄工程」前の「胴体洗浄工程」においては、ノズル洗浄室４７８への流路２４にのみ通水するため、通水する水は温水である必要はなく、冷水で十分である。したがって、制御部４０５は、流量・流路切替弁４６０を制御して、バイパス流路２８のみ通水状態として、ノズル洗浄室４７８へは冷水（温度Ｔ０）が供給されるように構成している。
【００５３】
次に、「本洗浄工程」においては、再度温水を供給する必要があるため、制御部４０５は、流量・流路切替弁４６０を制御して、流路２６のみ通水状態として、ノズル４７３へは温水（温度Ｔｈ）が供給されるように構成している。
【００５４】
次に、使用者が操作部５００により図示しない「止スイッチ」を押して「本洗浄工程」が終了すると、制御部４０５は「胴体洗浄工程」及び「自己洗浄工程」を実行する。
この「胴体洗浄工程」及び「自己洗浄工程」では、いずれの工程においても、使用者に水を噴射する「本洗浄工程」が終了しているため、冷水（温度Ｔ０）が供給されるように、制御部４０５は、流量・流路切替弁４６０を制御して、バイパス流路２８のみ通水状態とする。
【００５５】
図５は、洗浄動作時の水の温度制御の例（その２）について示すタイミングチャートである。図５が、図４と異なる部分は「本洗浄工程」後の「自己洗浄工程」のみであるため、その点のみ説明する。
【００５６】
図５に表したように、「本洗浄工程」後の「自己洗浄工程」では、制御部４０５は、流量・流路切替弁４６０を制御して流路２６及びバイパス流路２８の両方を通水状態としている。このように構成することで、流路２７内の水の温度は、Ｔ０より高く、Ｔｈより低い温度であるＴｍになる。このように構成されることで、図４の場合に比べ、次回の「本洗浄工程」の際に、「捨水工程」、あるいは「自己洗浄工程」を省略することができる。
なお、流路２７内の水の温度をＴｍにするためには、図示しない水温センサ４２０により給水源１０の水の温度を検知し、その検知結果に応じて流量・流路切替弁４６０を制御して、流路２６とバイパス流路２８へ供給する水の流量の分配比を制御するように構成している。
【００５７】
このような本実施形態に係る衛生洗浄装置１００の水の温度制御によれば、「本洗浄工程」後の「自己洗浄工程」を、規定温度（例えば、３８℃）より低い温度の水にて実行することができるため、従来より約２１％の節電効果がある。
【００５８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置などや殺菌スイッチ５１０の設置形態などは、例示したものに限定されるわけではなく適宜変更することができる。  
【００５９】
また、本発明の実施の形態では、殺菌水が次亜塩素酸を含む液である場合を例に挙げて説明したが、殺菌水は、これだけに限定されるわけではない。電解槽ユニット４５０において生成される殺菌水は、銀イオンや銅イオンなどの金属イオンを含む液であってもよい。あるいは、電解槽ユニット４５０において生成される殺菌水は、電解塩素やオゾンなどを含む液であってもよい。あるいは、電解槽ユニット４５０において生成される殺菌水は、酸性水やアルカリ水であってもよい。あるいは、殺菌水生成部は、電解槽に限定されるわけではない。すなわち、殺菌水は、殺菌剤および殺菌液を水に溶解させることによって生成される殺菌水であってもよい。  
【００６０】
また、本発明の実施の形態では、「本洗浄工程」後は、「胴体洗浄工程」を経て「自己洗浄工程」を実施しているが、これだけに限定されない。例えば、「本洗浄工程」の後に「自己洗浄工程」を実施するようにしてもよい。
また、前述した各実施の形態が備える各要素は、技術的に可能な限りにおいて組み合わせることができ、これらを組み合わせたものも本発明の特徴を含む限り本発明の範囲に包含される。
【符号の説明】
【００６１】
１０        給水源
２０        主流路
２１〜２７  流路
２８        バイパス流路
４０１      電源回路
４０２      入室検知センサ
４０３      人体検知センサ
４０４      着座検知センサ
４０５      制御部
４３１      電磁弁
４４０      貯湯式熱交換器
４５０      電解槽ユニット
４６０      流量・流路切替弁
４７０      ノズルユニット
４７２      流路切替弁
４７３      ノズル
４７４ａ    吐水口
４７４ｂ    吐水口
４７８      ノズル洗浄室
４７９      吐水部
４８０      吐水口
５００      操作部（リモコン）
【図１】
2015175171.tif 000003
【図２】
2015175171.tif 000004
【図３】
2015175171.tif 000005
【図４】
2015175171.tif 000006
【図５】
2015175171.tif 000007